(57)【要約】【課題】本質的に記録画像の状態を遜色なく且つ簡便に記録済み記録シートを乾燥できる方法、及び、それに好適に用いられる冶具を提供すること。また、記録シートとそのシートを乾燥させるのに好適な冶具とを有するユニットを提供すること。【解決手段】記録シートの両端部のそれぞれを着脱自在に保持可能な保持具の１対と、該１対の保持具を連結する連結部と、を少なくとも有する冶具であって、前記１対の保持具に前記記録シートが保持された状態で前記記録シートは曲面を形成し、該曲面を形成した記録シートの復元力を利用して前記記録シートが前記１対の保持具に保持されるものであることを特徴とする冶具を使用する。【選択図】図２
2005349644.tif 000002
【特許請求の範囲】
【請求項１】
記録シートの両端部のそれぞれを着脱自在に保持可能な保持具の１対と、該１対の保持具を連結する連結部と、を少なくとも有する冶具であって、
前記１対の保持具に前記記録シートが保持された状態で前記記録シートは曲面を形成し、該曲面を形成した記録シートの復元力を利用して前記記録シートが前記１対の保持具に保持されるものであることを特徴とする冶具。
【請求項２】
平面部材と、該平面部材における前記記録シートの保持面側に設けられた突出片の１対と、を少なくとも有し、該１対の突出片によって前記１対の保持具を形成していることを特徴とする請求項１に記載の冶具。
【請求項３】
前記平面部材の一部を、前記平面部材の保持面側に立体的に折り曲げることで、前記突出片を形成可能であることを特徴とする請求項２に記載の冶具。
【請求項４】
立体状態及び平面状態のいずれにも可逆的に変化しうることを特徴とする請求項３に記載の冶具。
【請求項５】
前記１対の保持具に前記記録シートが保持された状態で、前記記録シートの端と前記保持具とが点接触又は線接触することを特徴とする請求項１〜４のいずれかに記載の冶具。
【請求項６】
前記記録シートが、インクジェット用記録シートであることを特徴とする請求項１〜５のいずれかに記載の冶具。
【請求項７】
前記インクジェット用記録シートが、両面印刷可能なものであることを特徴とする請求項６に記載の冶具。
【請求項８】
前記記録シートが、印刷済みのものであることを特徴とする請求項１〜７のいずれかに記載の冶具。
【請求項９】
請求項１〜７のいずれかに記載の冶具が具備する１対の保持具に、印刷済みの記録シートを装着して、該印刷済みの記録シートを乾燥させることを特徴とする記録シートの乾燥方法。
【請求項１０】
請求項１〜７のいずれかに記載の冶具と、記録シートと、を有することを特徴とするユニット。
【請求項１１】
前記冶具の長さが、前記記録シートの長辺の長さ以下であることを特徴とする請求項１０に記載のユニット。
【発明の詳細な説明】
【技術分野】
【０００１】
本発明は、記録シートを保持するための冶具であり、とりわけ、水性インクを用いて印刷を行った記録シートを乾燥させるのに好適な冶具に関するものである。また、記録シートと冶具とを含むユニットに関するものである。
【背景技術】
【０００２】
近年、インクジェット記録用のインクジェット用被記録媒体は種々なものが販売されている。インクジェット記録装置は、この種の被記録媒体に対してインクジェット記録を行うことになるが、使用しているインク自体の定着特性に適する被記録媒体は限られることが多い。このため、特許文献１では、先に記録した被記録媒体に対して、連続して記録された次の被記録媒体を一時的に上方空間に保持し、先に記録した被記録媒体のインク定着が完了するのを待って、積層する装置が開示されている。この装置は、この機能を満足するための構成が複雑で、装置の大型化を招く。
【０００３】
一方、日本郵政公社において使用されるようになってきているインクジェット用葉書も、インクジェット記録装置のインク特性に対して最適化されているものではないため、インクジェット記録方法により印刷された葉書上の未乾燥状態のインクを乾燥させるためには、１枚ずつ机上などに並べて未乾燥状態にあるインクを乾燥させているのが現状である。この葉書を簡便に乾燥させる方法として、特許文献２には、略同一方向に多数の切り込みを入れて形成された少なくとも２列の櫛状となる支持片を設けたシート材を使用して、そこに印刷したインクジェット用記録シートを立てかけられて乾燥させる方法が開示されている。この方法は、多数の印刷物を２列の櫛状となる支持片に掛け渡すことで同時に乾燥させるものであり、この乾燥の際にそれほど広い場所を確保しなくて良いことが記載されている。
【特許文献１】特開昭６３−２３９０７３号公報
【特許文献２】特開２００３−２７６７７７号公報
【発明の開示】
【発明が解決しようとする課題】
【０００４】
ところで、インクジェット記録においては、被記録媒体の両面に記録を行う装置が市場に提供されてきている。しかしながら、両面に印刷したインクジェット用記録シートは、各種の記録媒体特性によって異なるため、記録後の定着は課題となりえる。本発明者達が検討したところ、片面を印刷後、乾燥させ、さらに、ひっくり返して残った片面を印刷し、乾燥させる方法もしくは、両面印刷後、机上面に放置し乾燥させる方法などを行ってみたが、両面印刷用のインクジェット用記録シートであるにもかかわらず両面共に同質の印刷品質を得ることができないという問題が発生した。また、洗濯ハンガーなどに吊るし乾燥させる方法では、インクジェット用記録シートの画像域、特に中心側にキズがつくなどの問題が発生した。また、単純に両面インクジェット記録された記録シートの印刷面同士を十分に乾燥していないうちに重ねて放置した際には、お互いの画像が移りこみ、白くモヤがかかったような状態（以下白モヤと呼ぶ）となり、画像品位を低下させてしまった。このように、お互いの画像が移りこむ現象は、表面が光沢のあるインクジェット用被記録媒体及びＰＥＴフィルムやレジンコート紙のように水などを吸収しない非吸収性基材上にインク受容層を設けたインクジェット用記録シートを積載した際に顕著であった。尚、この白モヤは、インク受容層内に乾燥している部分と乾燥していない部分とが発生し、光の屈折と散乱により、白く濁った様に見えるものと考えられる。通常、記録エリア内の場所によってインクの打込み量が各々異なるため、印刷面同士を重ねて放置した際には、インクの乾燥状態が場所により異なるため、白モヤとなり、それが画像濃度ムラとなって観察され画像品位を低下させるものと推定している。
【０００５】
そこで、本発明者達が特許文献２に開示された発明を検証したところ、以下の課題を見出すことに至った。即ち、葉書に代えてインクジェット用被記録シートを用いてインクジェット記録（片面或いは両面記録）後、２列の櫛状となる支持片（被記録媒体支持治具）の両側においたところ、支持片と接触する部分と接触しない部分とでインクの乾燥状態が異なり、画像品位を低下しまっていた。また、この支持片が印刷面に接触してしまうため、画像領域に傷が発生したり、被記録シートの自重に任せて放置させているため、高温高湿環境下で使用した際には、紙のコシ（剛直度）が湿度の影響で低くなり、被記録媒体がまっすぐな状態でなくなり、記録物としての変形といった品位低下などの問題が生じてしまった。
【０００６】
従って、本発明は、印刷済み被記録媒体が冶具と接触する部分と接触しない部分とで乾燥状態が異なり濃度ムラによる画像品位の低下を招くという第１の課題、印刷済み被記録媒体の記録画像域、特に中心側の部分が冶具と接触するため、擦りキズを生じさせるという第２の課題、更には、高温高湿環境下で紙のコシ（剛直度）が湿度の影響で低くなり、印刷済み被記録媒体がまっすぐに保持できず、記録物が曲がってしまう品位低下という第３の課題及び被記録媒体全面記録（いわゆる、縁なし印字）された被記録媒体の端部における画像劣化を解決するという第４の課題の少なくとも１つの課題を解決できる発明を提供することにある。以上のような課題は、片面或いは両面記録されたインクジェット用記録シート以外の記録済みシートの乾燥にも共通する課題である。
【０００７】
そこで、本発明は、（好ましくは乾燥ムラや擦りキズを発生させることなく）本質的に記録画像の状態を遜色なく且つ簡便に記録済み被記録媒体を乾燥できる方法、及び、それに好適に用いられる冶具を提供することを目的とする。また、本発明の他の目的は被記録媒体とその記録済み被記録媒体を乾燥させるのに好適な冶具とを有するユニットを提供することを目的とする。本発明の更なる目的は、以下の説明から理解できよう。
【課題を解決するための手段】
【０００８】
本発明第１発明は、上記課題の内第１課題或いは第２課題を解決するもので、
記録シートの両端部のそれぞれを着脱自在に保持可能な保持具の１対と、該１対の保持具を連結する連結部と、を少なくとも有する冶具であって、
前記１対の保持具に前記記録シートが保持された状態で前記記録シートは曲面を形成し、該曲面を形成した記録シートの復元力を利用して前記記録シートが前記１対の保持具に保持されるものであることを特徴とする冶具である。
【０００９】
また、本発明第２発明は、上記課題の内第１、２課題を解決するもので、
前記の冶具が具備する１対の保持具に記録シートを装着して、該記録シートを乾燥させることを特徴とする記録シートの乾燥方法である。
【００１０】
また、本発明第３発明は、上記課題の内第１、２、３課題を解決するもので、
前記の冶具と、記録シートと、を有することを特徴とするユニットである。この場合、使用説明書或いは、プリント記載として１対の保持具に前記記録シートが曲面を形成するように保持された状態使用する旨の記載を含むこと更には、前記記録シートの端と前記保持具とが点接触又は線接触することを示唆または開示していることが好ましい。
【００１１】
加えて、本発明第４発明は、上記課題の内少なくとも第４課題を解決するもので、前記１対の保持具に前記記録シートが保持された状態で、前記記録シートの端と前記保持具とが点接触又は線接触することを特徴とする発明である。
【００１２】
本発明の他の内容は、実施の説明から理解できよう。
【発明の効果】
【００１３】
本発明各発明は、上記課題を解決し対応する効果を発揮するものであるが、総合的に必要な画像領域の乾燥ムラや擦りキズを発生させることなく簡便に記録シートを乾燥できる方法、及び、それに好適に用いられる冶具を提供できる。また、記録シートとそのシートを乾燥させるのに好適な冶具とを有するユニットを提供できる。
【発明を実施するための最良の形態】
【００１４】
本発明者達は、両面印刷可能なインクジェット記録方法に適したインクジェット用記録シートの開発を行う中で、その乾燥方法についても検討し、インクジェット用記録シートが曲面を形成する状態となるようにして、かつ、インクジェット用記録シートの両端部の各々を、その復元力を利用して保持可能な冶具を使用することで、乾燥ムラや擦りキズを発生させることなく簡便に乾燥できることを見出し、本発明を完成するに至ったものである。
【００１５】
まず、本発明の冶具及びそれを用いた記録シートの乾燥方法について説明する。
【００１６】
本発明の冶具は、記録シートの両端部のそれぞれを着脱自在に保持可能な保持具の１対と、該１対の保持具を連結する連結部と、を少なくとも有し、前記１対の保持具に前記記録シートが保持された状態で前記記録シートは曲面を形成し、該曲面を形成した記録シートの復元力を利用して前記記録シートが前記１対の保持具に保持されるという構成を有するものである。そして、本発明の記録シートの乾燥方法は、その冶具が具備する１対の保持具に記録シートを装着して、該記録シートを乾燥させるものである。
【００１７】
図２は本発明冶具の具体的構造の一例を示す斜視図であり、図３及び図４は、それぞれ図２におけるＡ方向及びＢ方向から見たときの冶具の正面図である。この冶具１１は、２つの突出片３１からなる保持具２２の１対と、それを連結する連結部２１とで構成されている。この冶具１１に記録シート９１をセットしたときの状態を、図２におけるＢ方向から冶具１１を見たときの正面図として図９に示す。このように、１対の保持具を形成する突出片３１によって、記録シート９１の両端部のそれぞれが保持される。このとき、記録シート９１は曲面を形成した状態である。記録シート９１は平面に戻ろうとするが、保持具を形成する突出片３１がストッパーの機能を発現するため、記録シート９１は自己の復元力によって曲面の状態を維持したまま保持される。
【００１８】
記録シート９１に冶具１１をセットした状態で机上などに置いたときの状態の斜視図を図１７に示す。記録シート９１は曲面を形成した状態で保持されているので、簡単に立てることができる。このとき、冶具１１は記録シート９１の復元力によって支えられており、自然に外れて落下することはない。外したい場合は、記録シート９１を更に少し湾曲させることで、擦りキズを付けることなく容易に冶具１１から外すことができる。
【００１９】
このように、本発明の構成を有する冶具によれば、記録シートをその端部でのみ接触した状態とすることができる。すなわち、冶具が具備する１対の保持具に記録シートを装着した状態で乾燥することで、記録シートを簡便にかつ均一に乾燥できる。乾燥時の状態としては、図１７に示すように机上等に立てかけても良く、冶具を下にして机上等に置いても良く、冶具を洗濯ハンガーなどに吊しても良い。
【００２０】
ここで、記録シート９１に冶具１１をセットした状態における、保持具を形成する突出片３１と記録シート９１との接触部分の拡大図を図１１に示す。このとき、記録シート９１と連結部２１とが形成する角度Φ1は、保持具を形成する吐出片３１と連結部２１とが形成する角度Φ2よりも小さく、記録シートの端と保持具とが点接触又は線接触する状態であることが好ましい。この状態となれば、記録シートの印刷面と保持具とが全く接触しない状態となり、フチなし印刷される場合においても好適に乾燥できるようになる。また、良好な保持力を実現する観点からΦ2は９０°以下であることが好ましい。
【００２１】
本発明の冶具は、インクジェット用記録シート、写真用記録シート等の各種記録シートの乾燥のために使用できる。中でも、乾燥方法に課題の多かったインクジェット用記録シートの乾燥に好ましく使用でき、両面印刷可能なインクジェット用記録シートの乾燥に特に好ましく使用できる。
【００２２】
インクジェット用記録シートとしては、特に制限はなく、Ａ系列サイズ、Ｂ系列サイズ、レターサイズ、はがきサイズ、さらには、銀塩写真でおなじみのＬサイズや２Ｌサイズ、４×６サイズ、六ツ切り、四ツ切りなど、任意のサイズのインクジェット用記録シートに適用可能である。記録シートのサイズに合わせて冶具のサイズや形状を調整すればよい。すなわち、記録シートの長辺の長さが、冶具の保持具間の長さよりも短くなければならない。より好ましくは、記録シートの長辺の長さをＢ、冶具の保持具間の長さをＬ（図２参照）としたとき、２Ｂ／３≦Ｌ≦９Ｂ／１０であることが好ましい。
【００２３】
インクジェット用記録シートの材質の種類にも制限はないが、インクジェット用記録シートの復元力の大きさ、乾燥後のカールの癖がつきにくい等を考慮すると、レジンコート紙を基材に持つインクジェット用記録シートに適用することが好ましい。
【００２４】
曲面状に保持した状態で復元力を発現するために、記録シートはある程度の剛直度（コシ）を有していることが好ましい。剛直度としては、Ｊ．ＴＡＰＰＩ  Ｎｏ．４０による測定方法で、好ましくは３００〜５０００ｍｇｆ、より好ましくは３００〜４０００ｍｇｆである。インクジェット用記録シートの場合、インクジェットプリンタでの搬送性や復元力の大きさなどから５００〜３０００ｍｇｆであることが特に好ましい。また、適切な厚さであることも高い復元力を実現するには重要であり、例えば、インクジェット用記録シートの場合、厚さは１００〜５００μｍが好ましい。インクジェットプリンタでの搬送性や復元力の大きさ、乾燥後のカールの癖がつきにくい等を考慮すると、１８０〜３５０μｍであることがより好ましい。特に好ましくは２００〜３００μｍである。
【００２５】
冶具の材質としては、アート紙、光沢紙、ボンド紙、再生紙、バライタ紙、キャストコート紙、コートボール紙、ダンボール紙、板紙、非木材紙、合成紙などの紙；ポリエチレンテレフタレート、ジアセテート、トリアセテート、セルロイド、ポリカーボネート、ポリイミド、ポリアクリレート、ポリエチレン、ポリプロピレン、ＡＢＳなどの樹脂；ベニア、桧、杉などの木；アルミ、鉄、銅、真鍮、ステンレスなどの金属；ゴム状弾性体などを使用することができる。
【００２６】
また、水を吸収しやすい吸収性部材からなる冶具でも、水を吸収しにくい非吸収性部材からなる冶具でも使用できるが、記録シートの端部においての乾燥ムラが非常に起きにくい吸収性部材からなる冶具を使用することが好ましい。ただし、非吸収性部材であっても、表面を親水化処理することで、同様に記録シートの端部においての乾燥ムラが非常に起きにくくなる。
【００２７】
冶具の表面は滑らかな表面であっても、凹凸のついたものであっても良いし、透明、半透明、不透明のいずれであっても良い。又、これらの材質を２種以上、互いに貼り合せたものでも良い。更にインテリアの一部として各種様々な装飾やカラーリングを施しても良い。
【００２８】
記録シートを曲面状に保持する必要があるため、冶具の材質が紙の場合、強度やコストを考慮し、コートボール紙や板紙のような厚紙を用いることが好ましい。厚みとしては、冶具の強度、加工の容易性、コストの観点から、０．２〜２ｍｍが好ましく、０．３〜１ｍｍがより好ましい。他の材質の場合、紙に比べ強度が高いため、記録シートを曲面状に維持できる厚さであれば特に制約はない。例えばインテリアの一部として使用するのであれば、かなり厚く、また、それなりに装飾を施した方が好ましい。
【００２９】
冶具を簡単には折り曲げることができない材質とする場合、モールド一体成型、溶融成型などの方法により、本発明の機能を発揮可能な所定形状を有する冶具を作製すればよい。このときの冶具の形状は、本願発明の機能を発揮できるように任意に設定可能である。すなわち、連結部の形状は図２のような平面のものに限らず、例えば、角柱状、円柱状などでも構わない。また、保持具の形状は図２のような平面のものを折り曲げた形状のものに限らず、例えば、角柱状、円柱状、球状などでも構わない。さらには、インテリア性を考慮して、キャラクターの形をしたものとすることもできる。
【００３０】
紙、ポリスチレンやＡＢＳなどのプラスチック等の簡単に折り曲げ可能な材質の冶具の場合、上記のように最初から所定形状を有する冶具としても良いが、例えば平面状の冶具として後に立体的に組立可能な構造とすることもできる。
【００３１】
図２に示す冶具を形成可能な平面状の冶具の一例の上面図を図１に示す。図１の冶具は平面部材４１からなり、その四隅には、切り込み４２及び折り部４３で区切られた折り曲げ部分４４を有する。その折り曲げ部分４４を折り部４３に沿って立体的に折り曲げることで突出片を形成可能である。このような冶具は、例えば、コートボール紙や板紙のような厚紙で作製することで、容易に立体的な冶具とすることができる。図３に示す折り曲げ角度θ1は、本願発明の機能を発揮可能であれば０°＜θ1＜１８０°の範囲から任意に選択できるが、記録シートの保持力、再利用のしやすさ等実用面を考慮すると、３０°≦θ1≦１２０°が好ましい。なお、図２の例では２箇所の突出片で１つの保持具としているが、１箇所でも本願発明の機能を発揮できる。すなわち、図１の冶具の折り曲げ部分の折り曲げ方向を逆向きにすれば、２枚の記録シートを表裏面で保持可能な冶具となる。
【００３２】
図１の平面状の冶具における左端付近の拡大図を図５に示す。この例では、切り込み４２を平面部材の端部に対して垂直（図５においてθ2＝９０°）としているが、この角度は本願発明の機能を発揮できる範囲内で任意に設定できる。例えば、図６に示すように平面部材の端部に対して斜め（図６においてθ2＞９０°）となる切り込み４２とすることもできる。斜めの方がインクジェット用記録シートの保持性が向上する。実用面を考慮し、好ましくは、９０°≦θ2≦１５０°である。切り込みの位置、長さについても、本願発明の機能を発揮できる範囲内で任意に設定できる。切り込みの角度、位置、長さは、各切り込みで同じでも良く、異なっていても良い。
【００３３】
また、図１０に示すように、切り込み４２の途中にアンカット部４５を設けることが好ましい。アンカット部４５を設けることで、使用前に折り曲げ部分４４が折れてしまうことが少なくなる。アンカット部４５は、１つの切り込みに一箇所設けることもでき、２箇所以上設けることもできる。
【００３４】
また、図７に示すように、平面部材４１の四隅に同じ端部から２箇所ずつ切り込み４２を形成して、２箇所ずつ折り曲げ部４４を設けることもできる。この場合、２箇所の折り曲げ部４４を逆方向に折り曲げることで、例えば図１２のような立体的な形状とすることができる。この冶具１１は記録シートを２枚同時に保持することができ（記録シートをセットした正面図：図１３）、乾燥効率が高められる。この冶具の場合、大きさの違う記録シートを２枚同時に保持させる場合は、折り曲げる方向を変えることで対応可能である（記録シートをセットした正面図：図１５）。また、切り込み４２を斜めに入れた状態とすることもできる（上面図：図８、記録シートをセットした正面図：図１４及び図１６）。
【００３５】
上記のように平面状態のものを立体状態にする冶具は立体状態で使用することとなるが、平面状態に戻せるものが便利である。立体状態及び平面状態のいずれにも可逆的に変化しうる冶具であれば、記録シートのパッケージ内に容易にしまうことができる。
【００３６】
さらに、図１８に示すように平面部材４１をいくつか切り出し可能なマスターシート５０の形態とすることもできる。この場合、１つ１つの平面部材４１を容易に切り離せるよう、カット部とアンカット部により冶具周囲を加工しておくことが好ましい。また、図１８では、平面部材４１を４つ配した構成を一例として図示しているが、強度や保持する記録シートの厚みや剛直度などにより適宜配する数を調整することが可能である。切り込みの角度、位置、長さ等も適宜設定できる。
【００３７】
以上のような冶具は、記録シートの乾燥に好適に使用できるものであるから、記録シートと冶具とを含むユニットとすることが好ましい。特に、平面部材の一部を立体的に折り曲げて突出片を形成する形態の冶具は、記録シートのパッケージ内に容易に入れることができることから、ユニットとする際に好適である。このとき、冶具となる平面部材の長辺の長さがインクジェット用記録シートの長辺の長さ以下とすることが好ましい。こうすることで、ユニット全体の大きさを大きくすることなく、冶具を記録シートのパッケージ内に容易に入れることができる。この場合、使用説明書或いは、プリント記載として１対の保持具に前記記録シートが曲面を形成するように保持された状態使用する旨の記載を含むこと更には、前記記録シートの端と前記保持具とが点接触又は線接触することを示唆または開示していることが好ましい。
【００３８】
また、別の実施形態として、プリンターに直接上記の保持具となる突出片を形成することもできる。保持具となる突出片の形成する位置は、プリンターの上部の蓋上（図１９）でも良く、側面（図２０）でも良い。突出片は折りたたみ可能な形態とすることで、使用後に折りたためることから好ましい。インテリア性を考慮して、保持具をキャラクターの形をしたものとすることもできる。また、プリンターの表面に冶具の形状を型抜きして、マグネット等を利用して着脱可能な形態とすることも好ましい。
【実施例】
【００３９】
以下に実施例を用いて、本発明をさらに詳しく説明する。
【００４０】
（冶具１〜８の作製）
短辺４ｃｍ、長辺２８ｃｍのコートボール紙（厚み：約３８０ミクロン）を使用して、以下のような平面状の冶具を作製した。
【００４１】
［冶具１］
図５に示す切り込みを有する冶具とした。切り込みは、左端部から１５ｍｍの位置に長さ１２ｍｍで形成し、切り込み角度θ2は９０°とした。
【００４２】
［冶具２］
図６に示す切り込みを有する冶具とした。切り込みは、左端部から１５ｍｍの位置から長さ１２ｍｍで形成し、切り込み角度θ2は９２°とした。
【００４３】
［冶具３］
図７に示す切り込みを有する冶具とした。切り込みは、左端部から１５ｍｍ及び３０ｍｍの位置に長さ１２ｍｍで形成し、切り込み角度θ2は９０°とした。
【００４４】
［冶具４］
図８に示す切り込みを有する冶具とした。切り込みは、左端部から１５ｍｍ及び３０ｍｍの位置から長さ１２ｍｍで形成し、切り込み角度θ2は９２°とした。
【００４５】
［冶具５］
図６に示す切り込みを有する冶具とした。切り込みは、左端部から１５ｍｍの位置から長さ１２ｍｍで形成し、切り込み角度θ2は１００°とした。
【００４６】
［冶具６］
図６に示す切り込みを有する冶具とした。切り込みは、左端部から４０ｍｍの位置から長さ１２ｍｍで形成し、切り込み角度θ2は１２０°とした。
【００４７】
［冶具７］
図５に示す切り込みを有する冶具とした。切り込みは、左端部から７０ｍｍの位置に長さ１２ｍｍで形成し、切り込み角度θ2は９０°とした。
【００４８】
［冶具８］
図５に示す切り込みを有する冶具とした。切り込みは、左端部から５ｍｍの位置に長さ１２ｍｍで形成し、切り込み角度θ2は９０°とした。
【００４９】
（インクジェット用記録シートへの印刷）
Ａ４サイズの両面光沢紙（コニカフォトイメージング株式会社製、商品名：Ｐｈｏｔｏｌｉｋｅ  ＱＰ  両面光沢厚手）に、インクジェットプリンター（キヤノン株式会社製、商品名：ＰＩＸＵＳ９５０ｉ）で、Ａ４サイズ内全域に黒で両面を印刷した。
【００５０】
［印刷条件］
用紙設定：プロフォトペーパー
フチ有無：フチ無
アプリケーション：ＰｈｏｔｏＳｈｏｐ（登録商標）７．０
黒の指定：黒１００％
（実施例１）
冶具１を図２のように立体的に組立て（折り曲げ部４４を６０°折り曲げて突出部３１とした）、印刷済みのインクジェット用記録シートをセットして、図１７のように机上に立てて放置した。１６時間放置後、インクジェット用記録シートを冶具から取り外し、以下の項目について評価した。評価結果を表１に示す。
【００５１】
［評価項目］
項目１：画像品位均一性（端部及び端部以外）
○：差が認められないもの
△：やや差が認められるもの
×：明らかにその他の領域と異なり濃度ムラによる跡がついているもの
項目２：画像品位（表裏面での濃度・色味の差）
○：表裏に濃度・色味の差が認められないもの
△：端部のみに表裏に濃度・色味の差が認められるもの
×：全体的に表裏の濃度・色味が異なっているもの
項目３：キズの有無
○：キズが認められないもの
△：小さなキズが認められるもの
×：大きなキズがついているもの
項目４：３０℃/８０％環境下での放置性
別途３０℃／８０％環境下で２４時間放置する試験を行い、その放置状態を観察した。
○：変化の無いもの
×：２４時間前と異なった状態のもの
項目５：記録シートの保持性
○：冶具に安定して保持されているもの
×：保持時に別途冶具を支える必要のあるもの。
【００５２】
（実施例２）
冶具２を用いる以外は実施例１と同様に実施した。評価結果を表１に示す。
【００５３】
（実施例３、４）
実施例３、４は冶具３、４をそれぞれ用い、印刷済みのインクジェット用記録シートを冶具の両側にセットする以外は実施例１と同様に実施した。評価結果を表１に示す。
【００５４】
（実施例５、６）
実施例５、６は冶具５、６をそれぞれ用いる以外は実施例１と同様に実施した。なお、放置時に冶具６はインクジェット用記録シートの端部において、表面と接していた。評価結果を表１に示す。
【００５５】
（比較例１）
冶具を使用せず、インクジェット用記録シートを机上に平置きして１６時間放置した。その後、実施例１と同様の評価をした。評価結果を表１に示す。
【００５６】
（比較例２）
特許文献１に記載されているような、略同一方向に多数の切り込みを入れて形成された少なくとも２列の櫛状となる支持片を設けたシート材を作製し、それにインクジェット用記録シートを４枚立てかけて１６時間放置した。その後、実施例１と同様の評価をした。評価結果を表１に示す。
【００５７】
（比較例３）
冶具７を用いる以外は実施例１と同様に実施した。なお、インクジェット用記録シートをセットする際に、インクジェット用記録シートの一部に折れ目が生じたが、そのまま所定時間まで放置した。その後、実施例１と同様の評価をした。評価結果を表１に示す。
【００５８】
（比較例４）
冶具８を用いる以外は実施例１と同様に実施した。なお、インクジェット用記録シートが安定して保持されないため、冶具を別途支えながら１６時間放置した。その後、実施例１と同様の評価をした。評価結果を表１に示す。
【００５９】
【表１】
2005349644.tif 000003
【００６０】
以上のように、本発明によれば、乾燥ムラや擦りキズを発生させることなく簡便に記録シートを乾燥できることが分かった。
【図面の簡単な説明】
【００６１】
【図１】本発明における平面状の冶具の一例を示す上面図である。
【図２】本発明における立体状の冶具の一例を示す斜視図である。
【図３】図２においてＡ方向から見た冶具の平面図である。
【図４】図２においてＢ方向から見た冶具の平面図である。
【図５】図１の冶具の左端付近の拡大図である。
【図６】本発明における平面状の冶具の一例の左端付近の拡大図である。
【図７】本発明における平面状の冶具の一例の左端付近の拡大図である。
【図８】本発明における平面状の冶具の一例の左端付近の拡大図である。
【図９】図２の冶具を記録シートにセットした状態を示す正面図である。
【図１０】本発明における平面状の冶具の一例の左端付近の拡大図である。
【図１１】保持具を形成する突出片と記録シートとの接触部分の拡大図である。
【図１２】図７の冶具を立体的に組み立てた後の状態を示す斜視図である。
【図１３】図７の冶具を立体的に組み立てたものに、記録シートにセットした状態の一例を示す正面図である。
【図１４】図７の冶具を立体的に組み立てたものに、記録シートにセットした状態の一例を示す正面図である。
【図１５】図７の冶具を立体的に組み立てたものに、記録シートにセットした状態の一例を示す正面図である。
【図１６】図７の冶具を立体的に組み立てたものに、記録シートにセットした状態の一例を示す正面図である。
【図１７】図２の冶具を記録シートにセットした状態で机上などに置いたときの状態を示す斜視図である。
【図１８】本発明の冶具を複数有するマスターシートの一例を示す上面図である。
【図１９】プリンターの上部の蓋上に保持具を有するプリンターの外観図である。
【図２０】プリンターの側面に保持具を有するプリンターの外観図である。
【符号の説明】
【００６２】
１１  冶具
２１  連結部
２２  保持具
３１  突出部
４１  平面部材
４２  切り込み
４３  折り部
４４  折り曲げ部分
４５  アンカット部
９１  記録シート
【図１】
2005349644.tif 000004
【図２】
2005349644.tif 000005
【図３】
2005349644.tif 000006
【図４】
2005349644.tif 000007
【図５】
2005349644.tif 000008
【図６】
2005349644.tif 000009
【図７】
2005349644.tif 000010
【図８】
2005349644.tif 000011
【図９】
2005349644.tif 000012
【図１０】
2005349644.tif 000013
【図１１】
2005349644.tif 000014
【図１２】
2005349644.tif 000015
【図１３】
2005349644.tif 000016
【図１４】
2005349644.tif 000017
【図１５】
2005349644.tif 000018
【図１６】
2005349644.tif 000019
【図１７】
2005349644.tif 000020
【図１８】
2005349644.tif 000021
【図１９】
2005349644.tif 000022
【図２０】
2005349644.tif 000023